(57)【要約】【課題】  ラベル巻取ホルダーの取り外しを容易に行えると共に、ラベル巻取ホルダーの軸ぶれを効果的に防止し得るラベル巻取装置を提供する。を提供する。【解決手段】  ゴムローラー１と該ゴムローラーに押圧される円筒状のラベル巻取ホルダー２との間に搬送されてくるラベルを、ラベル巻取ホルダーに巻き取るラベル巻取装置であって、ラベル巻取ホルダー２が鍔付き固定コーン４及び鍔付きスライドコーン５によって挟持されて回転軸３の廻りに支持され、鍔付き固定コーン４は回転軸３に固定され、鍔付きスライドコーン５は回転軸３から取り外し可能な構造を有し、回転軸３の鍔付き固定コーン４側の端部が、複数のベアリングローラー７上に軸方向の移動を拘束された状態で載置されており、回転軸３の鍔付きスライドコーン５側の端部が、複数のベアリングローラー８上に単に載置されていることを特徴とする。【選択図】      図１
2006273478.tif 000002
【特許請求の範囲】
【請求項１】
ゴムローラーと該ゴムローラーに押圧される円筒状のラベル巻取ホルダーとの間に搬送されてくるラベルを、ラベル巻取ホルダーに巻き取るラベル巻取装置であって、
前記ラベル巻取ホルダーが、挟持手段Ａ及び挟持手段Ｂによって挟持されて回転軸の廻りに支持され、
前記挟持手段Ａは前記回転軸に固定され、前記挟持手段Ｂは前記回転軸から取り外し可能な構造を有し、
前記回転軸の前記挟持手段Ａ側の端部が、複数のベアリングローラー上に軸方向の移動を拘束された状態で載置されており、
前記回転軸の前記挟持手段Ｂ側の端部が、複数のベアリングローラー上に単に載置されている、ことを特徴とするラベル巻取装置。
【請求項２】
前記回転軸の前記挟持手段Ａ側の端部に、前記複数のベアリングローラーを挟むように一対のセットカラーを設けることにより、前記回転軸の軸方向の移動を拘束したことを特徴とする請求項１に記載のラベル巻取装置。
【請求項３】
少なくとも、紙葉類に貼着されたラベルを自動的に剥離する手段と、剥離されたラベルを巻き取るラベル巻取手段を有するラベル自動剥離装置において、前記ラベル巻取手段として請求項１又は２に記載のラベル巻取装置を用いたことを特徴とするラベル自動剥離装置。
【発明の詳細な説明】
【技術分野】
【０００１】
本発明は、ラベル自動剥離装置によって葉書、封書、カード類等から剥離されたラベルを巻き取る装置、及び、このラベル巻取装置を備えるラベル自動剥離装置に関する。
【背景技術】
【０００２】
例えば口座番号や暗証番号のように人に知られたくない秘密情報を記載した葉書は、この秘密情報部分にラベルを貼着して隠蔽した状態で郵送されることが多い。そして、受け取り先においては、郵送されてきた葉書からラベルを剥がし、その内容を確認する必要がある。通常、この受け取り先でのラベルの剥離は、人手により行われており、その処理能力は３０枚／分程度と低く作業効率が悪いものであった。
【０００３】
そこで本発明者らは、ラベルが貼着された紙葉類からラベルを高速且つ確実に剥離することが可能なラベル自動剥離装置を提案している（特許文献１参照）。
【０００４】
【特許文献１】特開２０００−１４２９１８号公報
【発明の開示】
【発明が解決しようとする課題】
【０００５】
特許文献１に記載のラベル自動剥離装置では、紙葉類から分離された大量のラベルを回収するための手段として、図８に示すようなラベル巻取部を備えている。
【０００６】
即ち、紙葉類から分離されたラベル８１は、ラベル咥え胴部７６から複数のローラー８２によってゴムローラー８３とラベル巻取ホルダー８４の間に搬送され、最終的にラベル巻取ホルダー８４にラベル自体の粘着力によって巻き取られる。
【０００７】
上記のラベル巻取ホルダー８４は、ゴムローラー８３に押し付けられており、ラベル８１の巻き取りに応じて、図８中に２点鎖線で示したように、その中心が上下方向に移動できるようになっている。
【０００８】
上記のような構成において、高速で大量のラベルが紙葉類から分離されてラベル巻取ホルダー８４に巻き取られるため、ラベル巻取ホルダー８４を頻繁に交換する必要がある。このため、ラベル巻取ホルダー８４は容易に取り外し可能でなければならない。
【０００９】
ラベル巻取ホルダーを容易に取り外し可能に支持する簡易な方法として、例えばラベル巻取ホルダーを左右から回転自由にバネ力によって支持する方法が考えられる。しかしながら、この方法では、ゴムローラーからの押圧力によってラベル巻取ホルダーが軸ぶれを起こし易い。仮に軸ぶれを防ぐためにバネ力を強力にして支持すると、今度はラベル巻取ホルダーを取り外すことが困難になる。
【００１０】
ラベル巻取ホルダーが軸ぶれを起こすと、ゴムローラーのラベル巻取ホルダーに対する左右の押圧力が異なってしまうため、ラベルがラベル巻取ホルダーに偏って巻き取られ、機械停止等のトラブルの原因となる。
【００１１】
上記の問題は、ウェブ状ではなく不連続に排出されるラベルを巻き取る場合に特に発生し易く、高速で大量のラベルを紙葉類から分離するラベル自動剥離装置に特有の問題と言える。
【００１２】
そこで本発明は、上記の事情に鑑み、ラベル巻取ホルダーの取り外しを容易に行えると共に、ラベル巻取ホルダーの軸ぶれを効果的に防止し得るラベル巻取装置、及び、このラベル巻取装置を備え、ラベル巻取部でのトラブルによる機械停止を防止し得るラベル自動剥離装置を提供することを目的とするものである。
【課題を解決するための手段】
【００１３】
上記の課題を解決すべく成された本発明のラベル巻取装置は、
ゴムローラーと該ゴムローラーに押圧される円筒状のラベル巻取ホルダーとの間に搬送されてくるラベルを、ラベル巻取ホルダーに巻き取るラベル巻取装置であって、
前記ラベル巻取ホルダーが、挟持手段Ａ及び挟持手段Ｂによって挟持されて回転軸の廻りに支持され、
前記挟持手段Ａは前記回転軸に固定され、前記挟持手段Ｂは前記回転軸から取り外し可能な構造を有し、
前記回転軸の前記挟持手段Ａ側の端部が、複数のベアリングローラー上に軸方向の移動を拘束された状態で載置されており、
前記回転軸の前記挟持手段Ｂ側の端部が、複数のベアリングローラー上に単に載置されていることを特徴とする。
また、前記回転軸の前記挟持手段Ａ側の端部に、前記複数のベアリングローラーを挟むように一対のセットカラーを設けることにより、前記回転軸の軸方向の移動を拘束したことを特徴とする。
【００１４】
また、本発明のラベル自動剥離装置は、少なくとも、紙葉類に貼着されたラベルを自動的に剥離する手段と、剥離されたラベルを巻き取るラベル巻取手段を有するラベル自動剥離装置において、前記ラベル巻取手段として上記本発明のラベル巻取装置を用いたことを特徴とする。
【発明の効果】
【００１５】
本発明のラベル巻取装置によれば、ラベル巻取ホルダーを支持する回転軸は、単にその両端部を複数のベアリングローラー上に回転自由に載置して支持されているため、装置から回転軸をラベル巻取ホルダーごと簡単に取り外すことができる。また、ラベル巻取ホルダーを回転軸に支持するための挟持手段の一方（挟持手段Ｂ）が、回転軸から取り外し可能な構造を有するため、挟持手段Ｂを取り外すことによりラベル巻取ホルダーの交換を容易に行うことができる。
また、ラベル巻取ホルダーを支持する回転軸は、横方向からバネ等によって支持されているものではなく、軸方向の移動を拘束された状態で複数のベアリングローラー上に支持されているため、ゴムローラーからの押圧力によってラベル巻取ホルダーが軸ぶれを起こすこともなく、ラベルが偏って巻き取られることによる機械停止等のトラブルを防止することができる。
【００１６】
また、本発明のラベル巻取装置をラベル自動剥離装置に組み込むことにより、ラベル巻取部でのトラブルによる機械停止を防止し得るラベル自動剥離装置が実現される。
【発明を実施するための最良の形態】
【００１７】
以下、図面を用いて本発明の実施形態例を具体的に説明する。
図１は本発明の一実施形態例に係るラベル巻取装置を一部断面で示した正面図である。図中、１はゴムローラー、２は円筒状のラベル巻取ホルダー、３は軸（回転軸）、４は回転軸３に固定された鍔付き固定コーン（前記挟持手段Ａに相当）、５は回転軸３から取り外し可能な鍔付きスライドコーン（前記挟持手段Ｂに相当）、６ａ及び６ｂはセットカラー、７及び８はベアリングローラーである。
【００１８】
このラベル巻取装置は、ゴムローラー１とラベル巻取ホルダー２の間に搬送されてくるラベルを、ラベル巻取ホルダー２にラベル自体の粘着力によって巻き取るものである。
【００１９】
ラベル巻取ホルダー２は、鍔付き固定コーン４と鍔付きスライドコーン５によって両側を挟持されて回転軸３の廻りに支持されている。なお、本例では、ラベル巻取ホルダーと各コーンとの間に取り外し可能な筒状部材９ａ、９ｂを介在させ、紙管等からなるラベル巻取ホルダー２の補強を行っている。
【００２０】
ラベル巻取ホルダー２の材質は特に限定されるものではないが、通常ラベル巻取ホルダーはラベル巻き取り後は使い捨てされるため、安価な紙管もしくは樹脂製のものが好適である。
【００２１】
鍔付き固定コーン４は、回転軸３に固定されており、筒状部材９ａを介してラベル巻取ホルダー２の一端を支持している。また、鍔付きスライドコーン５は、回転軸３に固定し更に取り外し可能なものであり、筒状部材９ｂを介してラベル巻取ホルダー２の他端を支持している。
【００２２】
鍔付きスライドコーン５の回転軸３への固定は、コーン取付ボス１０によって行われる。この機構を、図１乃至図３を用いて説明する。図２はコーン取付ボス１０による固定途中の状態を一部断面で示した図であり、図３は図２中のＣ−Ｃ’面における断面図である。
【００２３】
鍔付きスライドコーン５には２本のガイドピン５ｂが設けられており、このガイドピン５ｂをコーン取付ボス１０側のガイド穴に挿嵌する。これにより、コーン取付ボス１０に付設された２本の圧縮バネ１０ａの先端が、鍔付きスライドコーン５に設けられている溝に挿嵌される（図１参照）。なお、図１では、この挿嵌状態を表現するために、鍔付きスライドコーン５及びコーン取付ボス１０については図３中のＤ−Ｄ’面における断面を示している。
【００２４】
そして、図２に示すように、回転軸３に付設されたノックピン３ａを、コーン取付ボス１０に設けられているガイド溝１０ｂに挿入させた状態で、鍔付きスライドコーン５ごとコーン取付ボス１０を所定の方向に回転させ、ガイド溝１０ｂの端部１０ｃにノックピン３ａを収容する。これにより、鍔付きスライドコーン５は、コーン取付ボス１０に付設された圧縮バネ１０ａのバネ力によって回転軸３に固定され、筒状部材９ｂを介してラベル巻取ホルダー２の端部を支持することができる。
【００２５】
鍔付きスライドコーン５を回転軸３から取り外す場合には、上記と逆の手順で行えばよい。即ち、ガイド溝１０ｂの端部１０ｃにノックピン３ａを収容する際とは逆方向に鍔付きスライドコーン５ごとコーン取付ボス１０を回転させると、圧縮バネ１０ａの力でコーン取付ボス１０は簡単に分離され、コーン取付ボス１０と鍔付きスライドコーン５を回転軸３から取り外すことができる。
【００２６】
以上のような機構によってラベル巻取ホルダー２を支持している回転軸３は、図１に示すように、その両端部をそれぞれ複数のベアリングローラー上に回転自由に支持される。図４（ａ）及び（ｂ）はこの支持状態を説明するための図であり、それぞれ図１中のＡ−Ａ’面及びＢ−Ｂ’面における断面を示している。
【００２７】
回転軸３の鍔付き固定コーン４側の端部には、一対のセットカラー６ａ及び６ｂが所定の間隔（ベアリングローラー７の幅相当）で取付けられている。そして、セットカラー６ａ及び６ｂでベアリングローラー７を挟むようにして、図４（ａ）に示すように所定の間隔でベース１１に取り付けられている２つのベアリングローラー７，７の上に回転軸３が載置される。これにより、回転軸３の鍔付き固定コーン４側の端部は、その軸方向（水平方向）の移動を拘束された状態で支持される。
【００２８】
一方、回転軸３の鍔付きスライドコーン５側は、ラベル巻取ホルダー２を交換するためにコーン取付ボス１０及び鍔付きスライドコーン５を取り外す必要があるため、上記のようなセットカラーは取付けられていない。そして、回転軸３の鍔付きスライドコーン５側の端部は、図４（ｂ）に示すように所定の間隔でベース１２に取り付けられている２つのベアリングローラー８，８の上に単に載置されて支持される。
【００２９】
ベース１１及び１２は不図示のバネ機構によって上下方向に支持されており、回転軸３の廻りに支持されたラベル巻取ホルダー２は、このバネ機構のバネ力によってゴムローラー１に押し付けられる。これにより、ラベル巻取ホルダー２は、ラベルの巻き取りに応じて上下方向に移動することができ、連続して多数枚のラベルを巻き取ることができる。
【００３０】
以上説明した構成によれば、ラベル巻取ホルダー２を支持する回転軸３は、単にその両端部を複数のベアリングローラー上に載置して支持されているため、回転軸３をラベル巻取ホルダー２ごと持ち上げて簡単に取り外すことができる。また、ラベル巻取ホルダー２の一端は、回転軸３から容易に取り外すことができる鍔付きスライドコーン５によって支持されているため、鍔付きスライドコーン５を取り外すことによりラベル巻取ホルダー２の交換を簡単に行うことができる。
【００３１】
また、ラベル巻取ホルダー２を支持する回転軸３は複数のベアリングローラー上に支持されているため、ゴムローラー１からの押圧力によってラベル巻取ホルダー２が軸ぶれを起こすこともなく、ラベルが偏って巻き取られることを防止することができる。
【００３２】
本発明のラベル巻取装置は上記の実施形態例に限定されるものではなく、本発明の要旨の範囲内で適宜の設計変更が可能である。
【００３３】
具体例には、例えば前記回転軸の前記挟持手段Ａ側の端部における軸方向の移動を拘束する手段としては、図５若しくは図６に示すような構成も可能である。
【００３４】
先の例では一対のセットカラーでベアリングローラーを挟むように構成したが、図５は逆にベアリングローラーでセットカラーを挟むように構成した例である。即ち、回転軸３の鍔付き固定コーン４側の端部にセットカラー６を一つだけ取り付け、一方、ベアリングローラー７をセットカラー６と同様の厚みを有するスペーサ１３を挟んで２列に配置し、計４個用いることにより、回転軸３の軸方向の移動を拘束するものである。
【００３５】
図６は、前記一対のセットカラーの一方を鍔付き固定コーン４で代用した例である。即ち、鍔付き固定コーン４の端部４ａとセットカラー６とでベアリングローラー７を挟むようにしたものである。なお、鍔付き固定コーン４は軽量化のために通常はアルミを用いるが、図６の構成では、鍔付き固定コーン４の摩耗を防ぐためにセットカラーと同様にステンレス鋼を用いるのが良い。
【００３６】
また、先の例ではゴムローラー側を固定しこれにラベル巻取ホルダーをバネ力によって押し付けているが、逆にラベル巻取ホルダー側を固定しこれにゴムローラーをバネ力等によって押し付けても良い。
【００３７】
次に、本発明のラベル自動剥離装置を説明する。
本発明のラベル自動剥離装置は、少なくとも、紙葉類に貼着されたラベルを自動的に剥離する手段と、剥離されたラベルを巻き取るラベル巻取手段を有するラベル自動剥離装置における前記ラベル巻取手段として、前述した本発明のラベル巻取装置を用いるものである。
【００３８】
本発明のラベル自動剥離装置において、ラベル巻取装置以外の構成としては、例えば前記特許文献１に開示された図７に示すような構成を好適に採用することができる。
【００３９】
図７において、７１は葉書供給部、７２はラベルが貼着された葉書、７３は搬送部、７４はセンサーユニット、７５は葉書咥え胴部（紙葉類咥え胴部）、７６はラベル咥え胴部、７７は分別回収機構である。また、７８はラベル巻取部であり、前述した本発明のラベル巻取装置を用いる。
【００４０】
このラベル自動剥離装置の概要を図７に基づいて簡単に説明すると、まず葉書供給部７１には、ラベルが貼着された面を上にした状態にて積層状態で葉書７２が収納される。搬送部７３は、葉書供給部７１から葉書７２を所定の間隔で１枚ずつ取り出し、葉書７２を葉書咥え胴部７５に搬送する。葉書咥え胴部７５は、センサーユニット７４の葉書検知用センサーの信号に基づき葉書７２の先端部を咥えた後、図の時計回りに回転する。ラベル咥え胴部７６は、センサーユニット７４のラベル検知用センサーの信号に基づき、葉書咥え胴部７５に保持された葉書に貼着されているラベルの先端部を咥えた後、図の反時計回りに回転する。
【００４１】
上記のように、葉書の先端部を咥えた状態で葉書咥え胴部７５が回転すると共に、ラベルの先端部を咥えた状態でラベル咥え胴部７６が回転することにより葉書とラベルは分離される。分離されたラベルは、ラベル咥え胴部７６から図８に示したような複数のローラー８２によって前述した本発明のラベル巻取装置のゴムローラー１とラベル巻取ホルダー２との間に搬送され、最終的にラベル巻取ホルダー２にラベル自体の粘着力によって巻き取られる。
【００４２】
この時、本発明のラベル巻取装置では、ラベル巻取ホルダーが軸ぶれを起こすことがないため、従来問題視されていたラベルが偏って巻き取られることによる機械停止等のトラブルを防止することができ、ラベル自動剥離装置の信頼性を高めることができる。
【００４３】
なお、本発明のラベル自動剥離装置におけるラベル巻取装置以外の構成は、上記の例に限定されるものではなく、少なくとも紙葉類に貼着されたラベルを自動的に剥離する手段を有していれば良い。
【図面の簡単な説明】
【００４４】
【図１】本発明の一実施形態例に係るラベル巻取装置を一部断面で示した正面図である。
【図２】本発明の一実施形態例に係るラベル巻取装置における挟持手段Ｂを説明するための図である。
【図３】図２中のＣ−Ｃ’面における断面図である。
【図４】本発明の一実施形態例に係るラベル巻取装置における回転軸の支持状態を説明するための図である。
【図５】本発明のラベル巻取装置における回転軸の挟持手段Ａ側の端部の軸方向移動を拘束する手段の別の例を示す図である。
【図６】本発明のラベル巻取装置における回転軸の挟持手段Ａ側の端部の軸方向移動を拘束する手段の別の例を示す図である。
【図７】本発明のラベル自動剥離装置の一構成例を示す概略図である。
【図８】ラベル自動剥離装置におけるラベル巻取部を説明するための図である。
【符号の説明】
【００４５】
１：ゴムローラー
２：ラベル巻取ホルダー
３：軸（回転軸）
３ａ：ノックピン
４：鍔付き固定コーン（挟持手段Ａ）
４ａ：鍔付き固定コーンの端部
５：鍔付きスライドコーン（挟持手段Ｂ）
５ａ：ガイドピン
６、６ａ、６ｂ：セットカラー
７、８：ベアリングローラー
９ａ、９ｂ：筒状部材
１０：コーン取付ボス
１０ａ：圧縮バネ
１０ｂ：ガイド溝
１０ｃ：ガイド溝の端部
１１、１２：ベース
１３：スペーサ
７１：葉書供給部
７２：ラベルが貼着された葉書
７３：搬送部
７４：センサーユニット
７５：葉書咥え胴部（紙葉類咥え胴部）
７６：ラベル咥え胴部、
７７：分別回収機構
７８：ラベル巻取部
８１：ラベル
８２：搬送ローラー
８３：ゴムローラー
８４：ラベル巻取ホルダー
【図１】
2006273478.tif 000003
【図２】
2006273478.tif 000004
【図３】
2006273478.tif 000005
【図４】
2006273478.tif 000006
【図５】
2006273478.tif 000007
【図６】
2006273478.tif 000008
【図７】
2006273478.tif 000009
【図８】
2006273478.tif 000010